(57)【要約】      （修正有）【課題】トンネル栽培等における植物の成長具合を簡単に視認できる農園芸用不織布を提供する。【解決手段】長方形状の不織布２にその長さ方向に対して平行方向に、柔軟性を有する帯状の透光部３を、互いに間隔を開けて複数本設ける。不織布２にその幅方向に対して平行方向に、柔軟性を有する帯状の透光部３を互いに間隔を開けて複数本設け、不織布２を構成する繊維が透光性を有すると共に、透光部３が、不織布２に透光性エラストマー又は透光性プラスチックを含浸させたことにより形成されている。【選択図】図１
0003168158.tif 000002
【実用新案登録請求の範囲】
【請求項１】
長方形状の不織布にその長さ方向に対して平行方向に、柔軟性を有する帯状の透光部を設けたことを特徴とする農園芸用不織布。
【請求項２】
前記透光部を、前記不織布の長さ方向に対して平行方向にかつ互いに間隔を開けて複数本設けた請求項１に記載の農園芸用不織布。
【請求項３】
前記不織布にその幅方向に対して平行方向に、柔軟性を有する帯状の透光部を互いに間隔を開けて複数本設けた請求項１又は２に記載の農園芸用不織布。
【請求項４】
前記不織布を構成する繊維が透光性を有すると共に、前記透光部が、前記不織布に透光性エラストマー又は透光性プラスチックを含浸させたことにより形成された請求項１から３のいずれかに記載の農園芸用不織布。
【考案の詳細な説明】
【技術分野】
【０００１】
本考案は、植物のトンネル栽培等における被覆材として使用される農園芸用不織布に関するものである。
【背景技術】
【０００２】
周知のように、農作物や園芸作物等の植物のトンネル栽培においては、保温、防虫、保湿、防風等を図るために、畑等の耕地の上に複数のアーチ状支柱を互いに平行にかつ間隔を開けて並べるように立設し、被覆材を前記アーチ状支柱の上から被せる等した後、前記被覆材をその端部の上から土を被せる等して固定しておくのが一般的である。
【０００３】
前記被覆材としては、塩化ビニル樹脂シートやポリエチレンシート等の他に、不織布が使用されることもある。従来のこの種の不織布としては、植物の栽培及び動物の飼育に用いられる被覆体であって、フラッシュ紡糸法によって製造されかつ遮光率が９０％以上の不織布シートからなるもの（例えば、特許文献１参照。）等が知られている。
【先行技術文献】
【特許文献】
【０００４】
【特許文献１】実開平６−６４４４５号公報（請求項１、段落〔０００５〕、段落〔０００８〕、等）
【考案の開示】
【考案が解決しようとする課題】
【０００５】
しかし、トンネル栽培における被覆材として不織布を使用した場合には、不織布の透光率が余り高くないので、不織布を透して植物を目視しにくくなっている。そこで、植物の成長具合を視認するためには、不織布の端部上の土等を取り除いた後、不織布を部分的にめくり上げる必要がある。そして、植物の成長具合の視認後においては、保温、防虫、保湿、防風等を図るために、不織布を元の固定状態に戻す必要がある。このように、不織布を使用した場合には、植物の成長具合を視認する度に上記のような煩雑な作業を伴うという問題点がある。
【０００６】
本考案は、以上のような事情や問題点に鑑みてなされたものであり、トンネル栽培等における植物の成長具合を簡単に視認できる農園芸用不織布を提供することを目的とする。
【課題を解決するための手段】
【０００７】
上記目的を達成するための第１の考案に係る農園芸用不織布は、長方形状の不織布にその長さ方向に対して平行方向に、柔軟性を有する帯状の透光部を設けたものである。
【０００８】
第２の考案に係る農園芸用不織布は、前記透光部を、前記不織布の長さ方向に対して平行方向にかつ互いに間隔を開けて複数本設けたものである。
【０００９】
第３の考案に係る農園芸用不織布は、前記不織布にその幅方向に対して平行方向に、柔軟性を有する帯状の透光部を互いに間隔を開けて複数本設けたものである。
【００１０】
第４の考案に係る農園芸用不織布は、前記不織布を構成する繊維が透光性を有すると共に、前記透光部が、前記不織布に透光性エラストマー又は透光性プラスチックを含浸させたことにより形成されたものである。
【考案の効果】
【００１１】
第１の考案によれば、トンネル栽培等における被覆材として使用した場合に、帯状の透光部を透して内部の植物を目視できるので、植物の成長具合を簡単に視認することができる。
【００１２】
第２及び第３の考案によれば、トンネル栽培等における被覆材として使用した場合に、植物の成長具合を種々の角度から視認することができる。
【００１３】
第４の考案によれば、透光部を簡単に形成できるので、製造コストの低減化を図ることができる。
【図面の簡単な説明】
【００１４】
【図１】第１実施形態に係る農園芸用不織布の斜視図である。
【図２】農園芸用不織布の透光部付近の要部拡大断面図である。
【図３】農園芸用不織布の使用例を示す一部断面斜視図である。
【図４】第２実施形態に係る農園芸用不織布の一部を示す平面図である。
【図５】透光性エラストマー又は透光性プラスチックで構成された透光部の端部に、複数に分割された不織布の端部を埋設した例を示す要部拡大断面図である。
【考案を実施するための形態】
【００１５】
以下、本考案の実施形態を図面に基づいて説明する。
第１実施形態に係る農園芸用不織布１は、図１に示すように、不織布２に帯状の透光部３を設けたものである。
【００１６】
不織布２は、長方形状に形成されている。不織布２のサイズは、特に限定されるものではないが、例えば、幅１．２〜１．８ｍ程度、長さ１０〜５０ｍ程度に形成することができる。不織布２の長さを長尺に形成した場合には、図１のように、ロール状に巻回しておいてもよい。
【００１７】
不織布２を構成する繊維は、透光性を有している。前記繊維としては、ポリエステル繊維、ポリアミド繊維、ビニロン繊維、セルロース繊維、レーヨン繊維、ポリオレフィン繊維、ガラス繊維等が挙げられる。
【００１８】
透光部３は、柔軟性を有しており、不織布２の幅方向の中央部にその長さ方向に対して平行方向に帯状に設けられている。透光部３の幅は、特に限定されるものではないが、例えば、５〜１０ｃｍ程度に形成することができる。透光部３を設ける位置も、不織布２の幅方向の中央部に限定されるものではなく、不織布２の幅方向の中央部からずれていてもよい。
【００１９】
また、透光部３は、図２に示すように、不織布２に透光性エラストマー又は透光性プラスチックを含浸させたことにより形成されている。透光性エラストマーとしては、透光性のシリコーンゴム、熱可塑性エラストマー等が挙げられる。透光性プラスチックとしては、透光性のＥＶＡ（エチレン−酢酸ビニル共重合体）、ＰＶＤＣ（ポリ塩化ビニリデン）等が挙げられる。なお、不織布２を構成する繊維が透光性を有しているので、透光部３においては、前記繊維間に含浸した透光性エラストマー又は透光性プラスチックが前記繊維と密着することにより、光の乱反射が抑えられて光が透るものと考えられる。
【００２０】
次に、上記のように構成された農園芸用不織布１の使用例について説明する。
図３に示すように、農園芸用不織布１は、農作物や園芸作物等の植物４のトンネル栽培における被覆材として好適に使用することができる。
【００２１】
トンネル栽培においては、畑等の耕地５の上に複数のアーチ状支柱６を互いに平行にかつ間隔を開けて並べるように立設し、透光部３がアーチ状支柱６と直交するように農園芸用不織布１をアーチ状支柱６の上から被せる等した後、農園芸用不織布１をその端部の上から土７を被せる等して固定しておけばよい。
【００２２】
アーチ状支柱６の上から被せられた農園芸用不織布１においては、帯状の透光部３が設けられているので、透光部３を透して内部の植物４を目視することができる。そのため、農園芸用不織布１を部分的にめくり上げる等の煩雑な作業を伴うことなく、植物４の成長具合を簡単に視認できるという利点がある。
【００２３】
なお、農園芸用不織布１は、トンネル栽培の他、植物４のべたがけ栽培その他の栽培における被覆材としても好適に使用することができる。
【００２４】
第２実施形態に係る農園芸用不織布１１は、図４に示すように、第１実施形態において、帯状の透光部３を、不織布２の長さ方向に対して平行方向にかつ互いに間隔を開けて３本設けると共に、不織布２の幅方向に対して平行方向にかつ互いに間隔を開けて複数本設けることにより、不織布２に格子状の透光部３を設けたものである。
【００２５】
不織布２の長さ方向に対して平行方向に設ける透光部３の数は、３本に限定されるものではなく、第１実施形態のような１本でもよいし、２本又は４本以上でもよい。不織布２の幅方向に対して平行方向に設ける透光部３の数も、特に限定されるものではなく、適宜変更可能である。
【００２６】
このように、帯状の透光部３を、不織布２の長さ方向に対して平行方向に複数本設けたり、不織布２の幅方向に対して平行方向に複数本設けたりしておけば、図３のような植物４のトンネル栽培等における被覆材として農園芸用不織布１１を使用した場合に、植物４の成長具合を種々の角度から視認できるという利点がある。
【００２７】
なお、第１実施形態や第２実施形態においては、図５に示すように、透光性エラストマー又は透光性プラスチックで構成された透光部２３の端部に、その平面視形状に合わせて複数に分割された不織布２の端部を埋設することにより、不織布２にその長さ方向や幅方向に沿うように帯状の透光部２３を設けることもできる。この場合、不織布２を構成する繊維は、透光性を有していなくてもよい。一方、第１実施形態や第２実施形態のように、不織布２を構成する繊維が透光性を有すると共に、不織布２に透光性エラストマー又は透光性プラスチックを含浸させたことにより透光部３を形成するようにすれば、不織布２を複数に分割したり、分割された不織布２の端部を透光部３の端部に埋設したりする手間がかからず、透光部３を簡単に形成できるので、農園芸用不織布１，１１の製造コストの低減化を図ることができるという利点がある。
【産業上の利用可能性】
【００２８】
以上のように、本考案に係る農園芸用不織布は、植物のトンネル栽培やべたがけ栽培等における被覆材として有用であり、特に、植物の成長具合を簡単に視認するための被覆材として好適である。
【符号の説明】
【００２９】
１，１１  農園芸用不織布
２  不織布
３，２３  透光部
【図１】
0003168158.tif 000003
【図２】
0003168158.tif 000004
【図３】
0003168158.tif 000005
【図４】
0003168158.tif 000006
【図５】
0003168158.tif 000007